(57)【要約】【課題】映像光の偏光特性とフレネル基材シートの複屈折性とに起因して生じる輝度むら、色むらを低減できるフレネル基材シート、及び、これを用いたフレネルレンズシート、透過型スクリーン、背面投射型表示装置を提供する。【解決手段】フレネル基材シート１１１の複屈折位相差をＲとしたとき、π−π／２≦Ｒ≦π＋π／２を満たす部材を用いることにより、映像光の偏光特性やフレネル基材シート１１１の複屈折性に起因する透過型スクリーン１００の輝度むら、色むらを低減し、高画質のリアプロジェクションテレビ１が提供できる。【選択図】図４
2006349962.tif 000002
【特許請求の範囲】
【請求項１】
フレネルレンズ形状が出射側に形成されたフレネルレンズシートのベース部材として用いられるフレネル基材シートであって、
その複屈折位相差Ｒは、π−π／２≦Ｒ≦π＋π／２を満たすこと、
を特徴とするフレネル基材シート。
【請求項２】
請求項１に記載のフレネル基材シートにおいて、
前記複屈折位相差Ｒは、面内のいずれの位置においても均一であること、
を特徴とするフレネル基材シート。
【請求項３】
請求項１又は請求項２に記載のフレネル基材シートにおいて、
その屈折率ｎは、１．４５≦ｎ≦１．６５を満たすこと、
を特徴とするフレネル基材シート。
【請求項４】
請求項１から請求項３までのいずれか１項に記載のフレネル基材シートと、
前記フレネル基材シートの出射側に形成されたフレネルレンズ部と、
を備えたフレネルレンズシート。
【請求項５】
請求項４に記載のフレネルレンズシートにおいて、
透過型スクリーンへ投射される映像光の最大入射角度が４５°を超える背面投射型表示装置に用いられる透過型スクリーンに使用されること、
を特徴とするフレネルレンズシート。
【請求項６】
請求項４又は請求項５に記載のフレネルレンズシートと、
光を拡散させる光学シートと、
を備えた透過型スクリーン。
【請求項７】
請求項６に記載の透過型スクリーンと、
映像光を投射する光源と、
を備えた背面投射型表示装置。
【発明の詳細な説明】
【技術分野】
【０００１】
本発明は、出射側にフレネルレンズ形状が形成されたフレネルレンズシートのベース部材として用いられるフレネル基材シート、及び、これを用いたフレネルレンズシート、透過型スクリーン、背面投射型表示装置に関するものである。
【背景技術】
【０００２】
従来、リアプロジェクションテレビ等の背面投射型表示装置は、映像光を投射する光源、その映像光の結像面に配置される透過型スクリーン等を備えており、この透過型スクリーンは、一般的に、映像光を観察面側（出射側）へ出射するフレネルレンズシートと、映像光を拡散させる拡散効果を有するレンチキュラーレンズシートとを組み合わせて１組の透過型スクリーンとして用いられている。
近年、この種のリアプロジェクションテレビは、より薄型化、大画面化する傾向があるため、映像光の投射距離は、より短くなり、透過型スクリーンの光源側（入射側）に備えられたフレネルレンズシートに対する映像光の入射角度は、より大きくなってきている。
【０００３】
この大画面化、薄型化に伴い、映像光を投射する光源は、従来使用されてきたＣＲＴ方式の光源ではなく、小型であり、より明るく、高品位の画像が提供できるＬＣＤ方式やＤＭＤ方式等のものが用いられている。
ここで、ＬＣＤ方式の光源は、映像光を投射する過程に偏光子等を含むため、従来のＣＲＴ方式の光源では発生しなかった、偏光特性に起因する色むら、輝度むら等が発生するという問題があった。この輝度むら、色むらは、特に、映像光の透過型スクリーンへの入射角度が大きい、透過型スクリーンの外周部等において特に顕著であることが知られている。
【０００４】
このような輝度むら、色むらの原因として、フレネルレンズシートのベース部材として用いられるフレネル基材シートの複屈折性が映像光に与える影響や、偏光に含まれるＳ偏光成分とＰ偏光成分との透過率の差が映像光に与える影響等が重要視されている。
【０００５】
特許文献１では、特定の偏光面を有する入射光に対して、フレネルレンズシートのフレネル面（フレネルレンズ部分の入射側面）に対して、２０°以上全反射角度以下の入射角を有し、フレネルレンズシートの基板の複屈折を３５０ｎｍ以下であるフレネルレンズシートとすることにより、輝度むら、色むらの低減を図っている。
しかし、特許文献１に開示された手法では、波長７００ｎｍであった場合、その光に生じる位相差は３５０ｎｍとなり、半波長分に等しく、その偏光状態が大きく変わるため、明るさが低下するという問題があった。
【０００６】
特許文献２では、波長５９０ｎｍにおける複屈折の位置による変化率４０ｎｍ／ｃｍ以下、フレネルレンズシート用のベースシートの最大複屈折量１０００ｎｍ以下、フレネルレンズ面への映像光の入射角度の最大値０°以上３８°以下であるフレネルレンズシートを用いることにより、色むらを低減する手法が開示されている。
しかし、特許文献２に開示された手法は、入射角度の最大値が、０°以上３８°以下である場合に限られており、より映像光の入射角度が大きい場合には、色むらが発生するという問題があった。また、ベースシート内の複屈折量は、面内分布が均一ではないので、輝度むらが生じやすいという問題があった。
【０００７】
【特許文献１】特開２００２−９０８９１号公報
【特許文献２】特開２００４−８５７３６号公報
【発明の開示】
【発明が解決しようとする課題】
【０００８】
図７は、Ｓ偏光、Ｐ偏光、円偏光の入射角度による各透過率の変化を示す図である。
図７において、縦軸は透過率であり、横軸は入射角度であり、屈折率１．００である空気から、屈折率１．５５であるフレネル基材シートへ入射したときの透過率を示しており、空気からフレネル基材シートへ入射し、再び空気へ出射した場合の透過率は、図７に示す値の２乗になる。
図７に示すように、Ｐ偏光、Ｓ偏光は、入射角度が大きくなるにつれ、Ｓ偏光の透過率に比べ、Ｐ偏光の透過率が高くなり、円偏光はその間の値となる。
【０００９】
フレネル基材シートは、その製造工程で延伸等の加工を施すため、複屈折性を有する。そのため、フレネル基材シートに入射する映像光が偏光である場合、その複屈折性により生じる位相差（複屈折位相差）により、入射界面と出射界面とでは偏光状態が変化する。
そのため、この偏光状態の違いと、フレネル基材シートの入射界面、出射界面でのＰ偏光、Ｓ偏光、円偏光での透過率の差とにより、輝度むら、色むらが発生するという問題があった。
【００１０】
本発明の課題は、映像光の偏光特性とフレネル基材シートの複屈折性とに起因する輝度むら、色むらを低減できるフレネル基材シート、及び、これを用いたフレネルレンズシート、透過型スクリーン、背面投射型表示装置を提供することである。
【課題を解決するための手段】
【００１１】
本発明は、以下のような解決手段により、前記課題を解決する。なお、理解を容易にするために、本発明の実施例に対応する符号を付して説明するが、これに限定されるものではない。
請求項１の発明は、フレネルレンズ形状が出射側に形成されたフレネルレンズシートのベース部材として用いられるフレネル基材シートであって、その複屈折位相差Ｒは、π−π／２≦Ｒ≦π＋π／２を満たすこと、を特徴とするフレネル基材シート（１１１）である。
請求項２の発明は、請求項１に記載のフレネル基材シートにおいて、前記複屈折位相差Ｒは、その面内のいずれの位置においても均一であること、を特徴とするフレネル基材シート（１１１）である。
請求項３の発明は、請求項１又は請求項２に記載のフレネル基材シートにおいて、その屈折率ｎは、１．４５≦ｎ≦１．６５を満たすこと、を特徴とするフレネル基材シートである。
請求項４の発明は、請求項１から請求項３までのいずれか１項に記載のフレネル基材シート（１１１）と、前記フレネル基材シートの出射側に形成されたフレネルレンズ部（１１２）と、を備えるフレネルレンズシート（１１０）である。
請求項５の発明は、請求項４に記載のフレネルレンズシートにおいて、透過型スクリーンへ投射される映像光の最大入射角度が４５°を超える背面投射型表示装置に用いられる透過型スクリーンに使用されること、を特徴とするフレネルレンズシート（１１０）である。
請求項６の発明は、請求項４又は請求項５に記載のフレネルレンズシート（１１０）と、光を拡散させる光学シート（１２０）と、を備えた透過型スクリーン（１００）である。
請求項７の発明は、請求項６に記載の透過型スクリーン（１００）と、映像光を投射する光源（２０）と、を備えた背面投射型表示装置（１）である。
【発明の効果】
【００１２】
本発明によれば、以下の効果を奏することができる。
（１）本発明のフレネル基材シートは、その複屈折位相差Ｒが、π−π／２≦Ｒ≦π＋π／２を満たすので、このフレネル基材シートに円偏光で入射した映像光は、逆回りの略円偏光として出射し、直線偏光で入射した映像光は、入射界面での直線偏光の偏光面と直交する方向に偏光面を有する略直線偏光として出射する。従って、入射界面、出射界面での反射損失の総和が、偏光を形成するＳ偏光，Ｐ偏光（互いに直交する偏光面を持つ偏光）成分で略等しくなり、透過率が略等しくなる。よって、映像光の偏光特性に起因して生じる輝度むら、色むらを低減することができる。
（２）本発明のフレネル基材シートは、その複屈折位相差Ｒがその面内のいずれの位置においても均一であるので、映像光の偏光特性に起因して生じる輝度等の面内むらを低減できる。
（３）本発明のフレネル基材シートは、その屈折率ｎが１．４５≦ｎ≦１．６５を満たすので、通常使用されているフレネル基材シートの材料を用いることができ、製造が容易であり、生産コストを抑えることができる。
（３）本発明のフレネルレンズシートは、透過型スクリーンへ投射される映像光の最大入射角度が４５°を超える背面投射型表示装置に用いられる透過型スクリーンに使用される。映像光は、透過型スクリーンへの入射角度が４５°以上となると、映像光の偏光特性が、透過型スクリーンの画質に対して、より影響を及ぼし始める。従って、そのような、入射角度の大きい透過型スクリーン及び背面投射型表示装置においても、映像光の偏光特性に起因して生じる輝度むら、色むらを低減でき、リアプロジェクションテレビをより大画面化、薄型化できる。
【発明を実施するための最良の形態】
【００１３】
本発明は、映像光の偏光特性とフレネル基材シートの複屈折性とに起因して生じる輝度むら、色むらを低減できるフレネル基材シート、及び、これを用いたフレネルレンズシート、透過型スクリーン、背面投射型表示装置を提供するという目的を、フレネル基材シートの複屈折位相差Ｒが、π−π／２≦Ｒ≦π＋π／２を満たすものとし、これを用いたフレネルレンズシート、透過型スクリーン、背面投射型表示装置とすることにより実現した。
【実施例】
【００１４】
図１は、本発明によるフレネル基材シートを用いたリアプロジェクションテレビの断面を模式的に示す図である。
このリアプロジェクションテレビ１は、光源装置２０、ミラー３０、透過型スクリーン１００を備えている。光源装置２０は、ＬＣＤ方式の光源であり、透過型スクリーン１００は、この光源装置２０から投射された映像光Ａの結像面に配置されている。
【００１５】
図２は、本発明によるフレネル基材シートを用いた透過型スクリーンを示す図である。
透過型スクリーン１００は、フレネルレンズシート１１０と、レンチキュラーレンズシート１２０とを備えている。
フレネルレンズシート１１０は、透過型スクリーン１００の入射側（光源側）に配置され、フレネル基材シート１１１、フレネルレンズ部１１２を有する。このフレネル基材シート１１１は、フレネルレンズシート１１０のベース部材として用いられるシート状の部材であり、その出射側（観察面側）にフレネルレンズ形状のフレネルレンズ部１１２がアクリル系紫外線硬化型樹脂等により一体的に形成されている。
【００１６】
レンチキュラーレンズシート１２０は、光を拡散させる光学シートである。このレンチキュラーレンズシート１２０は、入射側面には、透過型スクリーン１００の水平方向に映像光Ａを拡散するレンチキュラーレンズ部１２１を有し、出射側面には、映像光Ａが通過しない領域に、所定の幅を有する遮光層１２２が、透過型スクリーンの水平方向に所定の間隔で縞状に設けられている。
【００１７】
映像光Ａは、フレネルレンズ部１１２により略平行光として出射されるので、レンチキュラーレンズシート１２０に対して、入射角度略０°で入射する。しかし、フレネルレンズシート１１０に対する映像光Ａの入射角度は、大きいので、映像光Ａの偏光特性や、フレネル基材シート１１１の複屈折性が画質に与える影響は、レンチキュラーレンズシート１２０に比べて大きい。従って、映像光Ａに影響を与える複屈折性については、フレネル基材シート１１１について考慮すればよい。
【００１８】
（複屈折位相差）
まず、複屈折性を示すパラメータの一つである複屈折位相差Ｒについて説明する。
複屈折性を有する部材は、光の振動方向により屈折率が異なる。そのため、この複屈折性を有する部材を通過する偏光のＰ偏光成分（光線の進行方向と入射面の垂線とがなす平面と同一平面内で振動する直線偏光成分）と、Ｓ偏光成分（光線の進行方向と入射面の垂線とがなす平面に垂直な平面内で振動する直線偏光成分）との間に、位相差が生じ、偏光の状態が変化する。このとき、Ｐ偏光成分とＳ偏光成分との間に、複屈折性により生じる位相差が、複屈折位相差Ｒである。
この複屈折位相差Ｒは、入射界面においてＰ偏光成分とＳ偏光成分との位相差０である直線偏光が、複屈折性を有する部材に入射し、その部材内を通過して出射した場合に、出射界面におけるＰ偏光成分とＳ偏光成分との間に生じている位相差と等価である。
【００１９】
図３は、フレネル基材シートに偏光が入射する様子を模式的に示した図である。
図３において、Ｐ偏光成分とＳ偏光成分との出射位置にずれがあるが、フレネル基材シート１１１は厚さが十分に薄く、出射位置のずれはないとみなしてよい。
複屈折位相差Ｒは、入射する直線偏光Ｂ1の波数をｋ、波長をλ、入射角度をθ、入射界面におけるＰ偏光成分、Ｓ偏光成分がそれぞれ通過する距離をＬP、ＬS、このフレネル基材シート１１１のＰ偏光成分、Ｓ偏光成分の振動方向に対する屈折率をそれぞれｎP、ｎS、このフレネル基材シート１１１の厚さをｄとすると、次の式で表される。
Ｒ＝｜ΔｎｋＬ｜＝｜ｎPｋＬP−ｎSｋＬS｜
＝｜ｎP２πｄ／（λｃｏｓ（ｓｉｎ-1（（ｓｉｎθ）／ｎP）））−ｎS２πｄ／（λｃｏｓ（ｓｉｎ-1（（ｓｉｎθ）／ｎS）））｜  ・・・式（１）
この複屈折位相差Ｒの大きさに応じて、フレネル基材シート１１１を通過した偏光Ｂ2は、例えば、直線偏光が円偏光になる等、偏光状態が変化する。
【００２０】
（偏光状態と透過率）
次に、フレネル基材シート１１１の各界面における偏光状態と、透過率について説明する。
偏光特性を有する映像光Ａが、フレネル基材シート１１１を通過するとき、フレネル基材シート１１１の入射界面、出射界面では、その界面における偏光状態により透過率が異なる。
例えば、フレネル基材シート１１１の複屈折位相差Ｒにより、入射界面において円偏光であった映像光Ａが出射界面において直線偏光となった場合、出射界面における直線偏光のＰ偏光成分、Ｓ偏光成分の反射損失（透過率）に差があるため、輝度むら、色むらが生じる。同様に、入射界面において直線偏光であった映像光Ａが、フレネル基材シート１１１の複屈折位相差Ｒにより、出射界面において円偏光となった場合も、入射界面における直線偏光のＰ偏光成分、Ｓ偏光成分の反射損失の差により、輝度むら、色むらが生じる。
【００２１】
しかし、映像光Ａが直線偏光でフレネル基材シート１１１に入射した場合、フレネル基材シート１１１の複屈折位相差Ｒにより映像光Ａの偏光状態が変化し、出射界面において、入射界面での直線偏光の偏光面と直交する偏光面を有する直線偏光となるならば、輝度むら、色むらの低減が期待できる。これは、入射界面での直線偏光の偏光面と直交する方向に偏光面を有する直線偏光として出射させることにより、入射界面でのＰ偏光成分、Ｓ偏光成分は、出射界面においてそれぞれＳ偏光成分、Ｐ偏光成分に相当し、この２つの偏光成分の入射界面、出射界面で生じる反射損失の総量が等しくなるからである。
【００２２】
また、映像光Ａが円偏光でフレネル基材シート１１１に入射した場合、フレネル基材シート１１１の複屈折位相差Ｒにより偏光状態が変化し、出射界面おいて円偏光となるか、逆回りの円偏光となっているならば、輝度むら、色むらの低減が期待できる。これは、円偏光の偏光面は絶えず回転しているためである。
【００２３】
よって、フレネル基材シート１１１の複屈折位相差Ｒを用いて、入射界面、出射界面での偏光状態を規定し、フレネル基材シート１１１から出射した偏光のＰ偏光成分、Ｓ偏光成分の成分量の比を等しくして輝度むら、色むらを低減するためには、フレネル基材シート１１１に直線偏光で入射する場合は、入射する直線偏光の偏光面と直交する偏光面を有する直線偏光として出射し、円偏光で入射する場合は、入射する円偏光と逆回りの円偏光として出射すればよい。よって、理論上、複屈折位相差Ｒ＝πが最適であると考えられる。そこで、輝度むら、色むらの低減に有効な複屈折位相差Ｒの値を調べた。
【００２４】
（測定例）
ここで、輝度むら、色むらの低減に最適な複屈折位相差Ｒを求めるため、５８９ｎｍの光に対する屈折率が１．５８５であるポリカーボネート樹脂により形成された測定例１のフレネル基材シートと、５８９ｎｍの光に対する屈折率が１．４７５であるセルロースアセテートプロピオネート樹脂により形成された測定例２のフレネル基材シートを用意し、それぞれの複屈折位相差Ｒが０°から３６０°まで変化した場合の、Ｓ偏光とＰ偏光との透過率の差を計算により求めた。なお、Ｓ偏光とＰ偏光との透過率の差は、Ｓ偏光，Ｐ偏光に相当する直線偏光を投射した場合を想定して計算した。
【００２５】
（測定結果）
図４は、測定例１のフレネル基材シートの測定結果を示す図である。
図４（ａ）、（ｂ）において、横軸は、測定例１のフレネル基材シートの複屈折位相差Ｒを示し、縦軸は、測定例１のフレネル基材シートの入射界面でのＳ偏光、Ｐ偏光に相当する偏光成分が測定例１のフレネル基材シートを通過したときの透過率差（Ｓ偏光に相当する成分の透過率からＰ偏光に相当する成分の透過率を引いた値）を示している。図４（ａ）は、入射角度０°から４０°までの測定結果であり、図４（ｂ）は、入射角度５０°から８０°までの測定結果である。
【００２６】
図５は、測定例２のフレネル基材シートの測定結果を示す図である。
図５（ａ）は、入射角度０°から４０°までの測定結果であり、図５（ｂ）は、入射角度５０°から８０°までの測定結果である。
図５（ａ）、（ｂ）において、図４と同様に、横軸は、実施例２のフレネル基材シートの複屈折位相差Ｒを示し、縦軸は、測定例２のフレネル基材シートの入射界面でのＳ偏光、Ｐ偏光に相当する偏光成分が測定例２のフレネル基材シートを通過したときの透過率差（Ｓ偏光に相当する成分の透過率からＰ偏光に相当する成分の透過率を引いた値）を示している。
【００２７】
図６は、各入射角度において、Ｓ偏光とＰ偏光の透過率差が最小となる複屈折位相差Ｒを示す図である。図６（ａ）は、測定例１のフレネル基材シートについて示し、図６（ｂ）は、測定例２のフレネル基材シートについて示している。
【００２８】
図４から図６に示す測定結果から、入射界面においてＳ偏光として入射した成分と、Ｐ偏光として入射した成分との透過率差が０となるのは、いずれの測定例においても、入射角度０°から４０°では、複屈折位相差１１０°前後と２５０°前後であり、入射角度５０°から７０°では、複屈折位相差１２０°前後と２３０°前後、入射角度８０°では、複屈折位相差１８０°前後であった。
【００２９】
ここで、フレネル基材シートに関して、Ｓ偏光とＰ偏光との透過率差は、約２０％以内であれば、輝度むら、色むらは許容される範囲である。従って、測定例１、測定例２のフレネル基材シートについて、Ｓ偏光とＰ偏光との透過率差がその許容範囲内となる複屈折位相差Ｒの範囲を求めたところ、測定例１のフレネル基材シートでは、１１０°≦Ｒ≦２５０°であり、測定例２のフレネル基材シートでは、１１０°≦Ｒ≦２５０°であった。
上述の条件は、フレネル基材シートに用いる材質や、実際に透過型スクリーンとして使用した場合の入射角度等により変動するが、フレネル基材シートの複屈折位相差Ｒの範囲は、９０°＝π−π／２≦Ｒ≦２７０°＝π＋π／２でれば、輝度むら、色むらは許容される範囲である。なお、より輝度むら、色むらを低減し、高画質の透過型スクリーンとする場合には、フレネル基材シートの複屈折位相差Ｒは、１１０°≦Ｒ≦２５０°を満たすことが望ましい。
【００３０】
測定例１のフレネル基材シートに関して、複屈折位相差Ｒが、π−π／２≦Ｒ≦π＋π／２を満たすとき、Ｓ偏光とＰ偏光との透過率差は、最大で２２．９％であった。しかし、複屈折位相差Ｒが、π−π／２≦Ｒ≦π＋π／２を満たさないとき、Ｓ偏光とＰ偏光との透過率差は、最大で４７．６％となり、輝度むら、色むら等による画質の劣化が大きかった。
測定例２のフレネル基材シートに関して、複屈折位相差Ｒが、π−π／２≦Ｒ≦π＋π／２を満たすとき、Ｓ偏光とＰ偏光との透過率差は、最大で１９．５％であった。しかし、複屈折位相差Ｒが、π−π／２≦Ｒ≦π＋π／２を満たさないとき、Ｓ偏光とＰ偏光との透過率差は、最大で４４．７％となり、測定例１のフレネル基材シート同様、輝度むら、色むら等による画質の劣化が大きかった。
よって、リアプロジェクションテレビ１の透過型スクリーン１００に生じる輝度むらを低減するためには、フレネル基材シート１１１の複屈折位相差Ｒは、π−π／２≦Ｒ≦π＋π／２を満たすことが有効である。
【００３１】
一般に、屈折率が高いと、Ｐ偏光、Ｓ偏光の各透過率は、ともに低い傾向を有するので、測定例１のフレネル基材シートの５８９ｎｍの光に対する屈折率１．５８５、測定例２のフレネル基材シートの５８９ｎｍの光に対する屈折率１．４７５を含め、５８９ｎｍの光に対する屈折率が１．４５以上１．６５以下の範囲内のフレネル基材シートであれば、Ｐ偏光とＳ偏光との透過率差が最小となる複屈折位相差Ｒは、π−π／２≦Ｒ≦π＋π／２を満たし、透過率差の低減に有効である。
また、複屈折位相差Ｒは、π−π／２≦Ｒ≦π＋π／２を満たす値をとり、フレネル基材シート１１１の面内において均一に分布することにより、フレネル基材シート１１１の面内むらの低減が期待できる。
さらに、この複屈折位相差Ｒは、可視光の波長領域である４００〜７００ｎｍの範囲内の映像光に対して、その波長に関わらず、π−π／２≦Ｒ≦π＋π／２を満たすことにより、色むらの低減が期待できる。
これは、例えば、５８９ｎｍの光に対する屈折率が１．５８５のフレネルレンズシートである場合、４００〜７００ｎｍの光に対してその屈折率は、１．５８から１．６０まで変化するが、これは、１．４５以上１．６５以下を満たしている。
測定例１，測定例２のフレネルレンズシートは、５８９ｎｍの光に対する屈折率がそれぞれ１．４７５と１．５８５であり、大きく異なる。しかし、その透過率差の差は数％程度であるので、波長による屈折率の差に起因する透過率差はさらに小さく、特に限定しなくてもよいと考えられるからである。
【００３２】
以上のことから、フレネル基材シート１１１は、その複屈折位相差Ｒが、π−π／２≦Ｒ≦π＋π／２を満たすと、映像光の偏光特性とフレネル基材シートの複屈折性とに起因する透過型スクリーン１００の輝度むら、色むらの低減に有効である。
【００３３】
（変形例）
以上説明した実施例に限定されることなく、種々の変形や変更が可能であって、それらも本発明の均等の範囲内である。
本実施例において、フレネル基材シートは、ポリカーボネート樹脂、セルロースアセテートプロピオネート樹脂を用いる例を示したが、これに限らず、例えば、アクリル系樹脂、スチレン系樹脂等を用いてもよい。
【図面の簡単な説明】
【００３４】
【図１】本発明によるフレネル基材シートを用いたリアプロジェクションテレビの断面を模式的に示す図である。
【図２】本発明によるフレネル基材シートを用いた透過型スクリーンを示す図である。
【図３】フレネル基材シートに偏光が入射する様子を模式的に示した図である。
【図４】測定例１のフレネル基材シートの測定結果を示す図である。
【図５】測定例２のフレネル基材シートの測定結果を示す図である。
【図６】各入射角度において、Ｓ偏光とＰ偏光の透過率差が最小となる複屈折位相差Ｒを示す図である。
【図７】Ｓ偏光、Ｐ偏光、円偏光の入射角度による透過率の変化を示す図である。
【符号の説明】
【００３５】
１    リアプロジェクションテレビ
２０    光源装置
３０    ミラー
１００    透過型スクリーン
１１０    フレネルレンズシート
１１１    フレネル基材シート
１１２    フレネルレンズ部
１２０    レンチキュラーレンズシート
１２１    レンチキュラーレンズ部
１２２    遮光層
【図１】
2006349962.tif 000003
【図２】
2006349962.tif 000004
【図３】
2006349962.tif 000005
【図４】
2006349962.tif 000006
【図５】
2006349962.tif 000007
【図６】
2006349962.tif 000008
【図７】
2006349962.tif 000009